(57)【特許請求の範囲】
【請求項１】
ステーブラー本体に、二枚板打槌器でなるダブルのステーブラー打槌器を設け、ダブルステーブラーとし、ダブルステーブラーの二枚板打槌器間に、金型版や硬質樹脂版の版文字・版絵等つき自在差し替え組み替え自由な組み合わせ分離合体型の補助合体組版木打槌器を設置、補助版木打槌器つき新方式ダブルステーブラーとし、ダブルステーブラー打槌時、ステーブル側に、ステーブル打槌と共に、瞬間的に、版文字・版絵等を写し取る型押し写皮膜を設け、ステーブラー打槌作業時、瞬間的に版文字・版絵等を、型押し写皮膜に、印文字、印絵すると同時にステーブル綴じが完了する新機構新方式ステーブラー。
【発明の詳細な説明】
【技術分野】
【０００１】  本発明は、ステーブラーのステーブルを撃つ打槌器に関るステーブラー打槌器とステーブルの新機構新機能ステーブルを求めるステーブラーとステーブルに関するものである。
【背景技術】
【０００２】  従来のステーブラーは、二脚二曲型シングル綴じの連脚のステーブルからなるものが主なるものである。また、ダブルステーブル四脚四曲型においては、ステーブルに刷り込み済み文字・絵つきステーブルがある。
【実用文献】
実用新案出願公開  昭和６０−１９８１０
【発明の開示】
【発明が解決しようとする課題】
【０００３】  従来のステーブラーは、二脚二曲型シングル綴じの連脚ステーブルで、主として連続的に紙、布、薄ビニル等の綴じ目的のみに使用されてきたが、ステーブルそのものは単一性なるものでメッセイジ性に欠けるところがある。また、四脚四曲型の文字や絵等の刷り込み済み記載済のダブルステーブルの場合は、それぞれのステーブルに印字やシール張りなどのメッセイジ表示や既印刷済み表示で形成されたステーブルがある。印字済みなるメッセイジやシールを含め多種類多様なるメッセイジの対応には、ステーブルの交換をもって成りたち、大量の既印写ステーブルが必要となり、ステーブルの管理、種類分けなど即応性、種類、分類量など数量的問題などの課題がある。
【発明が解決するための手段】
【０００４】  従来の二脚二曲型のステーブラーは、一枚打槌で、ステーブルを撃って綴ったが、四脚四曲型ステーブルの場合には幅広打槌型で打槌でのステーブラー打槌が主である。これらの単純構造に変わり、本発明の、新方式ステーブラーは、ステーブラー本体に、ダブルのステーブラー打槌、二枚の打槌板を装備し、ダブルステーブラーとしたもので、その設けられた二枚板打槌のステーブラー間に、金型版や硬質樹脂版の版文字・版絵つき自在差し替え、組み替え自由なる組み合わせによる分離合体型の版木、補助合体組版木打槌器を合設、即ち、二分割三分割の自在組み合わせでなる版木を、組版木とした組み換え可能型分離合体組版木でなる補助版木を、ステーブラー打槌器に求め設置し、ステーブラー打槌時において瞬間的に印字、印絵、メッセイジ等をステーブルに印写することにより印字、印絵等のメッセイジを瞬時にステーブルに伝える。ステーブラーの補助版木つき版木の自在組み合わせで、文字列や数字の組み合わせによる版木の情報量の多様化を計り、ステーブラー本体において情報伝達の変化に即応し、瞬間的印字、印絵等のメッセイジを印写する利便性があり、ステーブルを連脚にすることにより、大量印写され連続的に機能的な印写ができる。
【０００５】  ステーブル側には、瞬間的に印字、印絵メッセイジ等を写し取る型押し写皮膜つきステーブルを設ける。即ち、ダブル型ステーブラー打槌に対応する、四脚四曲のダブルステーブルを設け、その四脚の上部先端に設けられた天板天部に、瞬間的に印字、印絵、メッセイジ等を写し取る、型押し写皮膜を設け、ステーブラーの打槌と同時に瞬間的に印写することを特徴とした新方式スーブラーのステーブル部分を設ける。
【０００６】  ステーブルの型押し写皮膜は、ステーブラー打槌時において、ステーブラーの分離合体型補助版木の、金型版や硬質樹脂版の版文字・版絵が凸版の場合はステーブルの型押し写皮膜には凹印写され、同ステーブラーの金型版や硬質樹脂版の版文字・版絵が凹版の場合は型押し写皮膜は凸印写される。
【０００７】  また、ステーブルの型押し写皮膜は、ソフト樹脂なる皮膜・樹脂膜使用の印字・印絵表記となり、更に、皮膜・樹脂膜に、超微粒子カーボン粒や超微粒子染色粒を混入することにより、ステーブラー打槌による打槌による加圧時、加圧圧力による粒子の破壊によるカーボン色や色つき印字の印絵となり、写皮膜に印字、印絵、メッセイジ等の伝達力は、大きく拡大する。
【発明の効果】
【０００８】  従来のステーブラーの二脚二曲型ステーブラーや刷り込み済み四脚四曲型ステーブルと違い、本発明のステーブラーは、金型版や硬質樹脂版の版文字・版絵つき自在差し替え、組み替え自由なる組み合わせによる分離合体型の版木、補助合体組版木打槌器をもつもので、ステーブル側には、四脚四曲型ステーブルの四脚の上部先端の天板天部に設けた型押し写皮膜に、印字、印絵、メッセイジ等をステーブラー打槌時に型押しされ、型押し写皮膜に瞬間的に印字、印絵、メッセイジ等が印写される。さらに、この型押し写皮膜つき四脚四曲型ステーブルを連脚することにより、印字、印絵、メッセイジ等を連続的表記に、また、連脚にすることによる量的機能を果たす効果がある。
【発明を実施するための最良の形態】
【０００９】  本発明の実施例について図面を参照して説明する。図１は、本発明ステーブラーの打槌部分とステーブルを示す斜視図である。図１において、ダブルのステーブラー打槌（８，９）の打槌の間に設けられた金型版や硬質樹脂版の版文字・版絵（１６）つき自在差し替え、組み替え式分離合体型の補助合体組版木（１０）と共に打槌、同時に、ステーブル四脚四曲型の四脚（１，２，３，４）の上端、天板上部（５）に設けられた、型押し写皮膜（６）に、印字、印絵等が印写プリントされ、ステーブル撃ちとステーブル綴じが完了する。【００１０】  差し替え、組み替え式補助版木（１０）において、金型版や硬質樹脂版の版文字・版絵（１６）つき、差し替え組み替え版木は、二分割、三分割なる版文字・版絵なる組み換え方式で、版文字・版絵の補助合体組版木（１０ａ，１０ｂ，１０ｃ）の組み合わせによる版木（１０）で、版部や版木の少量化を図りながら、版文字・版絵等（１６）の組み合わせメッセイジなどの組み合わせ方などによる情報の多量化、多様化を求めたものです。
【図面の簡単な説明】
【００１１】
【図１】本発明の実施形態である。ステーブラーに設けられたダブルステーブラーの金型版や硬質樹脂版の版文字・版絵つき自在差し替え、組み替え自由なる組み合わせによる分離合体型の版木、補助合体組版木打槌器つきダブルステーブラー打槌器と、四脚四曲型ステーブルの四脚の上部先端に設けられた天板天部に、ダブルステーブラー打槌時、瞬間的に印字、印絵等をステーブルの型押し写皮膜部分に印写する、ダブルステーブラーとステーブルのセットィングの関係斜視図である。
【図２】自在差し替え組み替え自由なる組み合わせによる補助合体版木にセッティングされた金型版や硬質樹脂版の裏面斜視図である。
【図３】ステーブラー打槌後四脚四曲型ステーブルの天板天部に設けられた、型押し写皮膜に、印写されたステーブル撃ち完了時の印字、印絵の斜視図ステーブルである。
【符号の説明】
【００１２】１    ステーブルの四脚四曲型ダブルステーブルの四脚のうちの一脚
２    ステーブルの四脚四曲型ダブルステーブルの四脚のうちの一脚
３    ステーブルの四脚四曲型ダブルステーブルの四脚のうちの一脚
４    ステーブルの四脚四曲型ダブルステーブルの四脚のうちの一脚
５    四脚四曲型ステーブルの上部先端に設けた天板
６    四脚四曲型ステーブルの、四脚の上部先端に設けた天板に、ステーブル打槌し、瞬間的に、印字、印絵等をステーブルに写し取る、型押し写皮膜
７    型押し写皮膜に印写された印字、印絵
８    ステーブラーにおけるダブルステーブラーのダブル打槌器の一方
９    ステーブラーにおけるダブルステーブラーのダブル打槌器の一方
１０  ステーブラーに設けられた金型版や硬質樹脂版の版文字・版絵つき自在差し替え、組み替え自由なる組み合わせによる分離合体型の版木つき、補助合体組版木の合体型の組み替え、組み合わせ版木
１０ａ，１０ｂ，１０ｃ  符号１０の組み替え、組み合わせ版木の各１組の３組分の表記
１１  符号１０の組み替え、組み合わせ版木の各版木分離線
１２  補助合体組版木の合体型、組み替え版木の金属版や硬質樹脂版の版面部
１３  補助合体組版木の合体型、組み替え版木設置ストッパー
１４  ステーブラーに設けられた四脚四曲型ダブルステーブラー打槌器に、補助合体組版木設置装備する設置孔部
１５  ステーブラー本体とダブルステーブラー打槌器との連結孔
１６  ステーブラー補助分離組み替え版木に設けられた金型版や硬質樹脂版部
【要約】
【課題】  ステーブラーに、綴じ機能の他、メッセイジ機能を求め、理想的なる共有を追及する課題がある。
【解決手段】  ステーブラー打槌部分のダブルステーブラー化を計り、平行なるダブルのステーブラー打槌部分（８，９）に、金型版や硬質樹脂版の版文字・版絵つき（１６）自在差し替え、組み替え自由なる組み合わせによる分離合体型の版木、補助版木打槌器つき（１０）を設け、ステーブラー打槌する。ステーブラー打槌に対応するステーブラーにステーブル四脚四曲型（１，２，３，４）のダブル脚のステーブルを設け、その四脚上部先端にもけられた天板天部（５）にステーブラー打槌時、印字印絵等を瞬間的に印写（７）される型受け写皮膜（６）を設け、ステーブラーの版文字・版絵（１６）等のメッセイジを型受け写皮膜に印写（６）ステーブルのステーブル綴じ完了する新方式ステーブラー。
【選択図】図１【図１】
0004142731.tif 000002
【図２】
0004142731.tif 000003
【図３】
0004142731.tif 000004